(57)【要約】【課題】電子機器等に装着されたＰＣカードが、不用意に脱落または引き抜かれることを防止するＰＣカード用のコネクタを提供することを目的とする。【解決手段】プッシュユニットと、係止部と、プッシュボタン部と、を備え、プッシュユニットは、プッシュボタン部と連結される揺動部と、揺動部を従動させるカム溝と、を有し、プッシュボタン部は、幅方向における一方側の面に、係止部が突出可能な開口部が形成されると共に、開口部が形成される面と直交する上面には、内面側に係止部と係合させることにより係止部を開口部から所定量突出させる案内部が設けられており、案内部は、開口部までの距離が短い第１案内部と、第１案内部と連続すると共に開口部までの距離が第１案内部よりも長い第２案内部と、を有し、係止部は、係止部が第１案内部と係合する場合にＰＣカードの凹部と係合可能に開口部から突出する。【選択図】図１
2009004118.tif 000002
【特許請求の範囲】
【請求項１】
接続端子と前記接続端子と対向する側の端部に凹部を有するＰＣカードと電気的に接続させるカード用コネクタであって、
板状の回路基板に取り付けられ、前記回路基板の接地端に接続されると共に、前記ＰＣカードの接続端子と接続されるコネクタ部と、
前記コネクタ部を覆うように配置され、前記回路基板に取り付けられることにより前記ＰＣカードを保持するカード保持部が形成されるフレーム部と、
挿入された前記ＰＣカードを前記カード保持部から排出させるイジェクト部と、を備え、
前記イジェクト部は、略縦長のプッシュユニットと、前記プッシュユニットの長手方向における一端側において前記プッシュユニットの幅方向に移動可能に配置される係止部と、前記一端側において前記係止部を内部に備えるように配置される略箱形のプッシュボタン部と、を備え、
前記プッシュユニットは、前記プッシュボタン部と連結される揺動部と、前記揺動部を従動させるカム溝と、を有し、
前記プッシュボタン部は、前記幅方向における一方側の面に、前記係止部が突出可能な開口部が形成されると共に、前記開口部が形成される面と直交する上面には、内面側に前記係止部と係合させることにより前記係止部を前記開口部から所定量突出させる案内部が設けられており、
前記案内部は、前記開口部までの距離が短い第１案内部と、前記第１案内部と連続すると共に前記開口部までの距離が前記第１案内部よりも長い第２案内部と、を有し、
前記係止部は、前記係止部が前記第１案内部と係合する場合に前記ＰＣカードの前記凹部と係合可能に前記開口部から突出するカード用コネクタ。
【請求項２】
前記カム溝は、Ｖ字溝を備えたハート状に形成される請求項１に記載のカード用コネクタ。
【請求項３】
前記案内部は、凸状に形成される請求項１又は２に記載のカード用コネクタ。
【請求項４】
前記イジェクト部は、プッシュバーと前記プッシュバーと連結され、前記ＰＣカードを押し出す回転アームとを備え、
前記揺動部は、前記カム溝に沿って従動すると共に前記プッシュバーを押圧し、前記回転アームを回転させる請求項１から３のいずれかに記載のカード用コネクタ。
【請求項５】
前記第１案内部と前記第２案内部とは、曲線状に連続して形成される請求項１から４に記載のカード用コネクタ。
【請求項６】
前記ＰＣカードは、エクスプレスカードを含む請求項１から５のいずれかに記載のカード用コネクタ。
【発明の詳細な説明】
【技術分野】
【０００１】
本発明は、例えば、次世代のＰＣカードであるエクスプレスカードをプリント基板等に装着させるためのカード用コネクタに関する。
【背景技術】
【０００２】
従来より、パーソナルコンピュータやデジタルカメラ等の電子機器において、電子機器の機能を拡張させるために、例えば、メモリーカード、ＣＦカード等のＰＣカードが用いられる。これらのＰＣカードは、電子機器の本体に設けられたスロット部に差し込んで使用され、スロット部には、これらのＰＣカードを装着するためのカード用コネクタが設けられている（例えば、特許文献１参照）。
【特許文献１】特開２００５−７１６６６号公報
【発明の開示】
【発明が解決しようとする課題】
【０００３】
ところで近年、上記電子機器に使用されるＰＣカードの後端部にケーブル等が接続されたものがある。例えば、無線ＬＡＮ等に使用するアンテナ部がＰＣカードに連結されたものである。このように、ＰＣカードの後端部にアンテナ等につながるケーブルが接続され、ケーブルが電子機器のスロット部から伸びていると、例えば、ＰＣカードの使用中に使用者がＰＣカードのケーブルを引っかけてしまうおそれがあった。そして、使用者がＰＣカードのケーブルに引っかかった場合においては、電子機器とＰＣカードとが接触不良を引き起こしたり、さらには、ＰＣカードの使用中にもかかわらずＰＣカードが電子機器から不用意に抜けてしまうおそれがあった。
【０００４】
このように、電子機器とＰＣカードとが接触不良を引き起こしたり、ＰＣカードの使用中に不用意にＰＣカードが電子機器から抜けてしまうと、電子機器が不具合を引き起こすおそれがあった。例えば、入力データや保存データ等が失われたり、電子機器自体が故障するおそれもあった。
【０００５】
本発明は、上記課題に鑑みなされたものであって、電子機器等に装着されたＰＣカードが、不用意に脱落又は引き抜かれることを防止するＰＣカード用のコネクタを提供することを目的とする。
【課題を解決するための手段】
【０００６】
本発明者は、コネクタに設けられるＰＣカード排出用のイジェクト部にＰＣカードに設けられた凹部に係合可能な係止爪を備えるロック機構を設けることにより、電子機器等に装着されたＰＣカードが、不用意に脱落又は引き抜かれることを防止することが可能であることを見出し、本発明を完成するに至った。具体的には、以下のようなカード用コネクタを提供する。
【０００７】
（１）  接続端子と前記接続端子と対向する側の端部に凹部を有するＰＣカードと電気的に接続させるカード用コネクタであって、板状の回路基板に取り付けられ、前記回路基板の接地端に接続されると共に、前記ＰＣカードの接続端子と接続されるコネクタ部と、
前記コネクタ部を覆うように配置され、前記回路基板に取り付けられることにより前記ＰＣカードを保持するカード保持部が形成されるフレーム部と、挿入された前記ＰＣカードを前記カード保持部から排出させるイジェクト部と、を備え、前記イジェクト部は、略縦長のプッシュユニットと、前記プッシュユニットの長手方向における一端側において前記プッシュユニットの幅方向に移動可能に配置される係止部と、前記一端側において前記係止部を内部に備えるように配置される略箱形のプッシュボタン部と、を備え、前記プッシュユニットは、前記プッシュボタン部と連結される揺動部と、前記揺動部を従動させるカム溝と、を有し、前記プッシュボタン部は、前記幅方向における一方側の面に、前記係止部が突出可能な開口部が形成されると共に、前記開口部が形成される面と直交する上面には、内面側に前記係止部と係合させることにより前記係止部を前記開口部から所定量突出させる案内部が設けられており、前記案内部は、前記開口部までの距離が短い第１案内部と、前記第１案内部と連続すると共に前記開口部までの距離が前記第１案内部よりも長い第２案内部と、を有し、前記係止部は、前記係止部が前記第１案内部と係合する場合に前記ＰＣカードの前記凹部と係合可能に前記開口部から突出するカード用コネクタ。
【０００８】
（２）  前記カム溝は、Ｖ字溝を備えたハート状に形成される（１）に記載のカード用コネクタ。
【０００９】
（３）  前記案内部は、凸状に形成される（１）又は（２）に記載のカード用コネクタ。
【００１０】
（４）  前記イジェクト部は、プッシュバーと前記プッシュバーと連結され、前記ＰＣカードを押し出す回転アームとを備え、前記揺動部は、前記カム溝に沿って従動すると共に前記プッシュバーを押圧し、前記回転アームを回転させる（１）から（３）のいずれかに記載のカード用コネクタ。
【００１１】
（５）前記第１案内部と前記第２案内部とは、曲線状に連続して形成される（１）から（４）に記載のカード用コネクタ。
【００１２】
（６）  前記ＰＣカードは、エクスプレスカードを含む（１）から（５）のいずれかに記載のカード用コネクタ。
【発明の効果】
【００１３】
本発明によれば、電子機器等に装着されたＰＣカードが、不用意に脱落又は引き抜かれることを防止することが可能なＰＣカード用のコネクタを提供することができる。
【発明を実施するための最良の形態】
【００１４】
以下、図面を参照して本発明を実施するための最良の形態を説明する。なお、本実施形態においては、ＰＣカードとしてエクスプレスカードを用いて説明するが、本発明においてはこれに限られない。例えば、ＰＣカードの端部にセキュリティノッチ部としての凹部が設けられたものであればよい。
【００１５】
図１は、本発明の実施形態に係るエクスプレスカード用コネクタにエクスプレスカードを装着した状態を示す外観斜視図である。図２は、本発明の実施形態に係るエクスプレスカード用コネクタの分解斜視図である。図３（Ａ）及び（Ｂ）は、本発明の実施形態に係るエクスプレスカード用コネクタのロック機構を備えたイジェクト部の分解斜視図である。図４は、本発明の実施形態に係るエクスプレスカード用コネクタにエクスプレスカードを装着する状態を示す外観斜視図である。図５は、ロック機構により、エクスプレスカードをロックした状態を示す外観斜視図である。図６は、ロック機構のロックを解除した状態を示す外観斜視図である。図７は、イジェクト部のロック機構におけるロックした状態の内部構造を示す内部透過図である。図８は、イジェクト部のロック機構におけるロックを解除した状態の内部構造を示す内部透過図である。図９は、エクスプレスカードの装着時におけるイジェクト部の内部構造を示す内部透過図である。図１０は、イジェクト部のロック機構を解除時におけるイジェクト部の内部構造を示す内部透過図である。図１１は、ロック機構が解除した状態のイジェクト部の内部構造を示す内部透過図である。図１２は、エクスプレスカードの排出時におけるイジェクト部の内部構造を示す内部透過図である。
【００１６】
最初に、本発明の実施形態に係るコネクタ１の構成を説明する。エクスプレスカード用コネクタ１は、ＰＣカードとしてのエクスプレスカード２をカード保持部１０に収納し、電気的な接続を得るためのコネクタである。
【００１７】
まず、エクスプレスカード２について簡単に説明する。エクスプレスカード２は、略矩形状のカードであり、エクスプレスカード２の挿入方向（Ａ）側における端部において、その内部の面上にエクスプレスカード用コネクタ１のカンチレバーコンタクト４２と電気的に接続される複数のコンタクトが設けられている。また、エクスプレスカード２の反挿入方向（Ｂ）側の両端部には、凹部であるセキュリティノッチ部２１、２１が設けられている。セキュリティノッチ部２１、２１は、エクスプレスカード２の反挿入方向（Ｂ）側の角部のそれぞれにおいて、挿入時にフレーム３の天板３１側に配置される面の一部を切り欠いたように形成されており、互いに相反する方向に凹状に形成されている。
【００１８】
図１及び図２に示すように、エクスプレスカード用コネクタ１は、エクスプレスカード２の外形に沿った形状に形成された金属製のフレーム３と、エクスプレスカード２のコンタクトと電気的に接続される複数のカンチレバーコンタクト４２を合成樹脂製のハウジング４１に圧入し固定してなるホストコネクタ４と、プッシュユニット６とプッシュボタン７と係止部８と回転アーム９とカバー部材５１とを含み、ロック機構を有するイジェクト部５と、を備える。
【００１９】
フレーム３は、後述のホストコネクタ４を覆うように配置され、回路基板に固定された状態で使用される。そして、フレーム３がホストコネクタ４を覆うように回路基板に固定されることにより、エクスプレスカード２を挿入するカード挿入口１１とエクスプレスカード２を保持するカード保持部１０とが形成される。
【００２０】
フレーム３は、金属板で下面が開放された薄直方体形状に形成され、天板３１と、側壁３２ａ、３２ｂと、を有する。側壁３２ａ、３２ｂは、エクスプレスカード２の幅よりも僅かに広い間隔において互いに対向するように形成される。一方側の側壁３２ａには、略Ｌ字状に折り曲げられた固定片３０が設けられる。固定片３０には、穴部３０ａが設けられている。固定片３０は、この穴部３０ａと回路基板（図示せず）に設けられた穴部とをボルトで連結することにより、フレーム３の一端側が回路基板に固定される。また、側壁３２ｂには、後述のイジェクト部５が配置されており、イジェクト部５のカバー部材５１に設けられた固定片５２に形成された穴部５３を回路基板に設けられた穴部と連結することにより、フレーム３の他端側が固定される。これにより、フレーム３は、回路基板に固定される。なお、フレーム３は、固定片３０を側壁３２ａ、３２ｂのそれぞれに設け、それぞれにおいて回路基板と連結させる構成としてもよい。
【００２１】
また、フレーム３の天板３１には、天板３１の両側にカード保持部１０側に折り曲げられた一対の弾性片３３、３３が設けられている。弾性片３３、３３は、挿入されたエクスプレスカード２をカード保持部１０において付勢し、エクスプレスカード２を保持するための押さえ板としての役割を果たす。
【００２２】
ホストコネクタ４は、絶縁性の合成樹脂材で形成されたハウジング４１に複数のカンチレバーコンタクト４２が圧入され固定されている。ここで、カンチレバーコンタクト４２は、板状のばね接触子であって、板はねの働きが片持梁のコンタクトである。この複数のカンチレバーコンタクト４２は、エクスプレスカード２の挿入方向と直行する方向に整列して配置されており、カンチレバーコンタクト４２の弾性部は、カード挿入口１１と対向するように配列されている。
【００２３】
ホストコネクタ４は、ハウジング４１が回路基板に半田付けにより固定されており、カンチレバーコンタクト４２は、回路基板の接地端に接続されている。ハウジング４１の両側部には、カード保持部１０に挿入されたエクスプレスカード２のコンタクトとカンチレバーコンタクト４２との嵌合をガイドするガイド部４３、４３が設けられている。
【００２４】
このように、ホストコネクタ４がフレーム３に覆われる状態で、側壁３２ａ、３２ｂがエクスプレスカード２の横幅よりも僅かに広い間隔で形成されているため、エクスプレスカード２の横幅が規制される。これにより、エクスプレスカード２のコンタクトと、ホストコネクタ４のカンチレバーコンタクト４２との位置合わせが容易となる。また、ホストコネクタ４にガイド部４３、４３が設けられているため、エクスプレスカード２のコンタクトとホストコネクタ４のカンチレバーコンタクト４２とを確実に嵌合させることが可能になる。
【００２５】
回転アーム９には、ホストコネクタ４のハウジング４１に回動可能に接合される軸部９１と、軸部９１から互いに相反する方向に伸びる第１アーム９２と第２アーム９３とが設けられている。第１アーム９２には、その端部にカード保持部１０の内部に延出する押出し片９４が設けられている。押出し片９４は、カード保持部１０に挿入されたエクスプレスカード２の挿入方向（Ａ）側の端部と当接可能に舌状に形成されている。第２アーム９３の端部には、プッシュバー９６に係合される係合部９５が設けられている。具体的には、係合部９５は、プッシュバー９６の穴部９７に挿通されている。
【００２６】
このように、第１アーム９２は、回転アーム９がハウジング４１に軸部９１を中心に回動可能に接合されると共に、第２アーム９３の係合部９５がプッシュバー９６の穴部９７に係合されている。これにより、例えば、プッシュバー９６が挿入方向（Ａ）に移動するとプッシュバー９６の挿入方向（Ａ）への移動と連動して係合部９５が移動する。係合部９６が挿入方向（Ａ）側に移動すると、軸部９１を中心に押出し片９４が反挿入方向（Ｂ）側に回動する。押出し片９４が反挿入方向（Ｂ）側に回動すると、押出し片９４によりエクスプレスカード２が押し出されるため、エクスプレスカード２はカード保持部１０から排出されることとなる。なお、プッシュバー９６は、フレーム３の側壁３２ｂにカードの挿入方向（Ａ）に摺動可能に配置されている。
【００２７】
図３（Ａ）及び（Ｂ）に示すように、イジェクト部５は、プッシュユニット６と、プッシュボタン７と、係止部８と、を備え、略縦長に形成されている。プッシュユニット６と、プッシュボタン７と、係止部８とは、カバー部材５１の内部に配置され、フレーム３の側壁３２ｂ側にカバー部材５１を介して接合される。ここで、カバー部材５１は、金属板を折り曲げることにより形成されており、断面略コの字形状に形成されている。また、カバー部材５１の一の面には、回路基板と略平行になるようにＬ字状に折り曲げられた固定片５２が設けられる。固定片５２には、穴部５３が設けられている。この穴部５３と回路基板に設けられた穴部とをボルトで連結することにより、カバー部材５１に接合されたフレーム３の他端側は、回路基板に固定される。
【００２８】
プッシュユニット６は、略縦長の板状に形成されたユニット本体６０と、板状の揺動部６１と、コイルばね６２と、を有する。ユニット本体６０の内面には、ユニット本体６０の長手方向一端部側において、ハート状に形成されたカム溝６０１が形成されている。ハート状のカム溝６０１は、ユニット本体６０の長手方向に沿って直線状に形成される直線溝６０１ａと、略Ｖ字状に形成されたＶ字溝６０１ｂと、直線溝６０１ａに連結される戻り溝６０１ｃと、からなり、それぞれが連続してすべり結合されている。そして、カム溝６０１は、揺動部６１の案内棒６１１と連結されており、揺動部６１の案内棒６１１は、ハート状のカム溝６０１に沿って摺動する。つまり、案内棒６１１を備える揺動部６１の一端側は、カム溝６０１の軌跡に従動して相対変位する。
【００２９】
また、ユニット本体６０の長手方向一端部側の角部には、直線溝６０１ａの側部に直線溝６０１ａと略平行に切り欠かれた切り欠き部６０６が形成されている。切り欠き部６０６は、揺動部６１が直線溝６０１ａを従動するときに、揺動部６１の突出部６３がユニット本体６０から突出可能になるように切り欠かれている。このように、揺動部６１の突出部６３がユニット本体６０から突出することにより、揺動部６１が直線溝６０１ａを従動するときにプッシュバー９６を押圧することが可能になる。
【００３０】
ユニット本体６０の内面における略中央部には、ユニット本体６０の長手方向に伸びる第１案内溝６０２が形成されている。第１案内溝６０２は、揺動部６１の第１案内棒６１２と連結されており、第１案内棒６１２は、第１案内溝６０２に沿って摺動する。つまり、第１案内棒６１２を備える揺動部６１の他端側は、第１案内溝６０２に沿って摺動する。このように、揺動部６１は、案内棒６１１がカム溝６０１の軌跡に従動して相対変位すると共に、第１案内棒６１２が第１案内溝に沿って摺動する。
【００３１】
さらに、ユニット本体６０の長手方向他端部側において、長手方向と直行する幅方向に第２案内溝６０３が形成されている。第２案内溝６０３は、係止部８の第２案内棒８５と連結されており、第２案内棒８５は、第２案内溝６０３に沿って摺動する。これにより、係止部８は、第２案内溝６０３に沿って幅方向に移動可能になる。
【００３２】
また、ユニット本体６０の長手方向他端部側の端部には、係止部８と当接する壁部６０５が設けられている。これにより、係止部８は、後述の付勢ばね８３に付勢された状態においても回動方向に対する動きが規制される。つまり、第２案内溝６０３に沿って移動するときにおいても、壁部６０５により回動方向に対する動きが規制され、例えば、回動することなく幅方向にのみ移動可能となる。
【００３３】
揺動部６１は略縦長の平板状に形成されており、長手方向一端部側には、プッシュバー９６を押圧する突出部６３が設けられている。また、長手方向一端部側の一方の面６１ａには、カム溝６０１に連結される案内棒６１１が設けられている。一方、揺動部６１の長手方向他端部側には、一方の面６１ａに第１案内溝６０２と連結される第１案内棒６１２が設けられている。また、揺動部６１の長手方向他端部側の他方の面６１ｂにはプッシュボタン７と連結される係合凸部６１３が設けられている。揺動部６１は、他方の面６１ｂの略中央部において、その一部が段状に形成されている。
【００３４】
コイルばね６２には、ユニット本体６０の長手方向一端部側及び他端部側のそれぞれにフック６２ａ、６２ｂが設けられている。コイルばね６２の長手方向一端部側のフック６２ａは、第１案内溝６０２に連結される第１案内棒６１２と係止される。一方、コイルばね６２の長手方向他端部側のフック６２ｂは、第１案内溝６０２の長手方向他端部側の近傍に設けられる突起部６０４に係止される。このように、揺動部６１は、コイルばね６２のフックのそれぞれが相反する位置に配置される揺動部６１の第１案内棒６１２及びユニット本体６０の突起部６０４に係止されることにより、ユニット本体６０の長手方向他端部側に付勢される。なお、揺動部６１がユニット本体６０の長手方向他端部側に付勢されるのは、ユニット本体６０を基準とすると、揺動部６１が移動可能であるのに対し、突起部６０４は、固定部となり、コイルばね６２の付勢力により揺動部６１が突起部６０４側に引っ張られるためである。
【００３５】
プッシュボタン７は、ボタン部７１と、結合部７２と、を有し、それぞれが一体に形成される。ボタン部７１は略直方体形状に形成されており、フレーム３の側壁３２ｂ側に縦長の開口部７３が形成されている。開口部７３は、開口部７３が形成される面と直交する側の上面７５（図３（Ａ）参照）と、開口部７３が形成される面及び上面７５のそれぞれと直交する頂面７６の一部が切り欠かれた状態で形成される。また、上面７５における内側の面には、凸状に形成された案内凸部７４が設けられている。案内凸部７４は、第２案内溝６０３に沿って移動する係止部８の幅方向における移動を規制するものであり、開口部７３まで所定の距離ａを有するように形成される第２案内凸部７４ａと、第２案内凸部７４ａよりも開口部７３までの距離が短い距離ｂに形成される第１案内凸部７４ｂとを備え、それぞれが連続するように形成されている（図９から図１２参照）。
【００３６】
なお、第２案内凸部７４ａにおける所定の距離ａとは、係合部８の爪部８１１とエクスプレスカード２のセキュリティノッチ部２１とが係合されない距離である（図８及び図１１参照）。つまり、爪部８１１がセキュリティノッチ部２１における凹部まで届かない距離をいう。一方、第１案内凸部７４ｂにおける開口部７３との距離ｂとは、係合部８の爪部８１１がエクスプレスカード２のセキュリティノッチ部２１と係合可能な距離をいう（図７及び図１０参照）。
【００３７】
結合部７２は、平板状に形成されており、揺動部６１に連結されている。具体的には、結合部７２は、長手方向一端部側に穴部７２ａが形成されており、この穴部７２ａが揺動部６１の他方の面６１ｂに設けられた係合凸部６１３と連結される。このように、プッシュボタン７と揺動部６１とを連結することにより、揺動部６１は、使用者によるプッシュボタン７のプッシュ操作に従動して動作することが可能になると共に、プッシュボタン７は、揺動部６１の動きに規制される。
【００３８】
係止部８は、係止爪部８１と板状部８２とを備え、それぞれが連結され、略Ｌ字状に形成されている。係止爪部８１は、エクスプレスカード２と略平行になるように配置され、板状部８２は、係止爪部８１と直交するように配置される。係止爪部８１におけるエクスプレスカード２と対向する側の面には、エクスプレスカード２のセキュリティノッチ部２１と係合する爪部８１１が設けられている。一方、板状部８２においては、一方側の面８２ａに第２案内溝６０３と連結される第２案内棒８５が設けられ、他方の面８２ｂにはプッシュボタン７におけるボタン部７１の第１及び第２案内凸部７４ａ、７４ｂと係合する係合凸部８４が設けられている。
係止爪部
【００３９】
また、係止部８は、付勢ばね８３により、ボタン部７１の開口部７３側に付勢されている。具体的には、係止部８は、付勢ばね８３の一方のフックが係止部８の第２案内棒８５に係止され、他方のフックがボタン部７１の開口部７３と対向する側の内壁に当接されている。これにより、係止部８は、イジェクト部５を組み立てた場合において、第２案内溝６０３に沿ってボタン部７１の開口部７３側に付勢される。
【００４０】
なお、カバー部材５１は、イジェクト部５を組み立て、イジェクト部５を内部に組み込んだ状態で、フレーム３と結合させることにより、プッシュユニット６及びプッシュボタン７の幅方向における動きを規制する。つまり、イジェクト部５をカバー部材５１で覆った状態でフレーム３に取り付けることにより、プッシュボタン７は、長手方向一端部側及び他端部側のみに移動可能になる。
【００４１】
次に、以上のように構成されたエクスプレスカード用コネクタ１へのエクスプレスカード２の着脱時におけるイジェクト部５のロック機構について説明する。本実施形態に係るイジェクト部は、使用者による第１のプッシュ動作により係止部８を移動させ、エクスプレスカード２との係止を解除させると共に、第２のプッシュ動作によりエクスプレスカード２を排出させる、いわゆるプッシュ−プッシュ型のイジェクト機構を備える。以下、具体的に説明する。
【００４２】
図４において、エクスプレスカード２は、カード挿入口１１から挿入され、カード保持部１０において保持される。このとき、係止部８の係止爪部８１は、初期状態として、開口部７３から突出した状態にある。つまり、係止部８は、係合凸部８４が第２案内凸部７４ｂと係合した状態にある。そして、揺動部６は、コイルばね６２により反挿入方向（Ｂ）に付勢され、案内棒６１１が略Ｖ字状に形成されたＶ字溝６０１ｂのＶ端部に係合した状態にある（図９参照）。
【００４３】
図９において、この状態でエクスプレスカード２を挿入すると、まず、係止部８がエクスプレスカード２の側面と当接する。しかしながら、係止部８は、ユニット本体６０の幅方向に移動可能に構成されているため、さらにエクスプレスカード２を挿入させると、係止部８が付勢ばね８３の付勢力に抗して第２案内溝６０３に沿って、幅方向に移動する。ここで、ボタン部７１は、開口部７３が上面７４及び頂面７５を切り欠いた状態で形成されているため、例えば、係止部８がボタン部７の端部に配置された場合においても、切り欠かれた分だけ幅方向に移動可能になる。
【００４４】
図５及び図７において、エクスプレスカード２とホストコネクタ４とが嵌合し、エクスプレスカード２の挿入が完了すると、係止部８は、付勢ばね８３の付勢力によりエクスプレスカード２側に押し出され、エクスプレスカード８の端部に凹状に設けられたセキュリティノッチ部２１に係合する。具体的には、爪部８１１がセキュリティノッチ部２１に係合する。このようにして、エクスプレスカード２は、エクスプレスカード用コネクタ１のカード保持部１０においてロックされる。
【００４５】
次いで、エクスプレスカード用コネクタ１のロック解除について説明する。
【００４６】
図１０において、使用者がプッシュボタン７のボタン部７１を押すと、プッシュボタン７が挿入方向（Ａ）側に移動すると共に、プッシュボタン７の結合部７２において連結された揺動部６１も、ユニット本体６０に設けられたコイルばね６２の付勢力に抗して挿入方向（Ａ）側に押される。つまり、Ｖ端部において係止されていた揺動部６１の案内棒６１１が、コイルばね６２の付勢力に抗して戻り溝６０１ｃ側に移動する。このとき、Ｖ字溝６０１ｂにおけるＶ端部が戻り溝６０１ｃ側にスライド移動するように案内されていると共に、Ｖ字溝６０１ｂが戻り溝６０１ｃとすべり結合されているため、揺動部６１の案内棒６１１は、戻り溝６０１ｃに移動する。
【００４７】
図１１において、戻り溝６０１ｃに移動した揺動部６１の案内棒６１１は、戻り溝６０１ｃがユニット本体６０の長手方向に溝が形成されると共に、コイルばね６２２より反挿入方向（Ｂ）側に付勢されているため、使用者がボタン部７１から手を離すと、コイルばね６２の付勢力により、戻り溝６０１ｃに沿ってユニット本体６０の長手方向他端部側に戻される。つまり、揺動部６１の案内棒６１１は、コイルばね６２の付勢力により、戻り溝６０１ｃとすべり結合されている直線溝６０１ａの端部に戻される。これにより、揺動部６１と連結されたプッシュボタン７も反挿入方向（Ｂ）側に押し戻される。
【００４８】
ここで、図６及び図８において、プッシュボタン７が反挿入方向（Ｂ）側に押し戻されると、係止部８は、係合凸部８４がボタン部７１の内面に形成された案内凸部７４と係合しながら幅方向にスライドする。つまり、係止部８は、ボタン部７１が移動するため、第１案内凸部７４ｂとの係合から第２案内凸部７４ａとの係合に移行すると共に、第２案内棒８５が第２案内溝６０３に沿って摺動し、エクスプレスカード２側と反対の方向に移動する。
【００４９】
そして、この状態においては、係止部８の係止爪部８１は、開口部７３から距離ｂ離れてしまうため、開口部７３から突出しない態様になる。つまり、係止爪部８１に設けられた爪部８１１は、エクスプレスカード２のセキュリティノッチ部２１まで届かない状態となる。これにより、セキュリティノッチ部２１と係合されない、非ロック状態となり、ロックは解除される。
【００５０】
次いで、エクスプレスカード用コネクタ１のイジェクト機構について説明する。
【００５１】
図１２において、使用者がプッシュボタン７のボタン部７１を押し、第２のプッシュ動作を行うと、プッシュボタン７の結合部７２において連結された揺動部６１が、ユニット本体６０に設けられたコイルばね６２の付勢力に抗して長手方向一端部側に押される。そして、揺動部６１が長手方向一端部側に押されると、揺動部６１に設けられた突出部６３がユニット本体６０の切り欠き部６０６から露出し、プッシュバー９６を挿入方向（Ａ）に押し上げる。
【００５２】
ここで、プッシュバー９６には、回転アーム９の係合部９５が係合されているためプッシュバー９６が挿入方向（Ａ）に移動するとプッシュバー９６の挿入方向（Ａ）への移動と連動して係合部９５が移動する。そして、係合部９５が挿入方向（Ａ）側に移動すると、軸部９１を中心に押出し片９４が反挿入方向（Ｂ）側に回動する。さらに、押出し片９４が反挿入方向（Ｂ）側に回動すると、押出し片９４によりエクスプレスカード２が押し出される。これにより、エクスプレスカード２はカード保持部１０から排出されることとなる。
【００５３】
そして、使用者は、プッシュボタン７を最後まで押し切ることにより、プッシュボタン７を離す。使用者がプッシュボタン７を離すと、揺動部６１は、コイルばね６２の付勢力により直線溝６０１ａの端部に戻ろうとする。
【００５４】
しかしながら、ハート状に形成されたカム溝６０１のうち、直線溝６０１ａと連結されるＶ字状に形成されたＶ字溝６０１ｂは、長手方向に沿って直線状に形成された直線溝６０１ａよりも溝が深く形成されており、且つ、溝の底部の形状において案内棒６１１が直線溝６０１ａからＶ字溝６０１ｂに沿って移動するように段差を用いて深く案内されていることにより、揺動部６１の案内棒６１１は、段差に係止すると共に、コイルばね６２の付勢力により段差に沿ってＶ字溝６０１ｂに移行する。
【００５５】
Ｖ字溝６０１ｂに移行した案内棒６１１は、Ｖ字溝６０１ｂにおいてもっとも長手方向他端部側に形成されるＶ端部において、コイルばね６２の付勢力に抗した状態で係止される。
【００５６】
このようにして、案内棒６１１は、直線溝６０１ａの端部から初期位置であるＶ字溝６０１ｂのＶ端部までコイルばね６２の付勢力に抗した状態でサイクル移動し、コイルばね６２の付勢力によりＶ端部において係止される。
【００５７】
これらを繰り返すことにより、エクスプレスカード用コネクタ１は、エクスプレスカード２を排出されるイジェクト機構に加え、容易にエクスプレスカード用コネクタ１にロックすることが可能になる。
【００５８】
なお、本実施形態においては、案内凸部７４として、開口部７３までの距離の異なる第１案内凸部７４ａと第２案内凸部７４ｂとを連続して段状に形成したが、第１案内凸部７４ａと第２案内凸部７４ｂとは、連続した状態が曲線になるように形成してもよい。第１案内凸部７４ａと第２案内凸部７４ｂとを曲線により形成することにより、より滑らかに第１案内凸部７４ａから第２案内凸部７４ｂへと移行が可能になるためである。
【図面の簡単な説明】
【００５９】
【図１】本発明の実施形態に係るエクスプレスカード用コネクタにエクスプレスカードを装着した状態を示す外観斜視図である。
【図２】本発明の実施形態に係るエクスプレスカード用コネクタの分解斜視図である。
【図３】本発明の実施形態に係るエクスプレスカード用コネクタのロック機構を備えたイジェクト部の分解斜視図である。
【図４】本発明の実施形態に係るエクスプレスカード用コネクタにエクスプレスカードを装着する状態を示す外観斜視図である。
【図５】ロック機構により、エクスプレスカードをロックした状態を示す外観斜視図である。
【図６】ロック機構のロックを解除した状態を示す外観斜視図である。
【図７】イジェクト部のロック機構におけるロックした状態の内部構造を示す内部透過図である。
【図８】イジェクト部のロック機構におけるロックを解除した状態の内部構造を示す内部透過図である。
【図９】エクスプレスカードの装着時におけるイジェクト部の内部構造を示す内部透過図である。
【図１０】イジェクト部のロック機構を解除時におけるイジェクト部の内部構造を示す内部透過図である。
【図１１】ロック機構が解除した状態のイジェクト部の内部構造を示す内部透過図である。
【図１２】エクスプレスカードの排出時におけるイジェクト部の内部構造を示す内部透過図である。
【符号の説明】
【００６０】
１    エクスプレスカード用コネクタ
２    エクスプレスカード
３    フレーム
４    ホストコネクタ
５    イジェクト部
６    プッシュユニット
７    プッシュボタン
８    係止部
９    回転アーム
６０    ユニット本体
６１    揺動部
６２    コイルばね
６３    突出部
７１    ボタン部
７３    開口部
７４ａ    第２案内凸部
７４ｂ    第１案内凸部
９６    プッシュバー
８１    係止爪部
８１１    爪部
６０１    カム溝
６０３    案内溝
６１１    案内棒
【図１】
2009004118.tif 000003
【図２】
2009004118.tif 000004
【図３】
2009004118.tif 000005
【図４】
2009004118.tif 000006
【図５】
2009004118.tif 000007
【図６】
2009004118.tif 000008
【図７】
2009004118.tif 000009
【図８】
2009004118.tif 000010
【図９】
2009004118.tif 000011
【図１０】
2009004118.tif 000012
【図１１】
2009004118.tif 000013
【図１２】
2009004118.tif 000014